【手続補正書】
【提出日】平成22年3月2日(2010.3.2)
【手続補正１】
【補正対象書類名】明細書
【補正対象項目名】発明の名称
【補正方法】変更
【補正の内容】
【発明の名称】暗号化コンテンツ編集方法およびコンテンツ管理装置
【手続補正２】
【補正対象書類名】特許請求の範囲
【補正対象項目名】全文
【補正方法】変更
【補正の内容】
【特許請求の範囲】
【請求項１】
情報機器が、第１の記憶装置にコンテンツを暗号化して格納し、アクセス制御がされた第２の記憶装置に前記コンテンツの挿げ替えや改竄を防止するための対象データをコンテンツ利用データとして格納して管理することにより前記コンテンツの保護を行う暗号化コンテンツ編集方法であって、
前記情報機器は、前記コンテンツを暗号化する際に復号時にランダムアクセス可能な暗号化を施し、前記コンテンツの分割・結合・削除・並べ替えによる編集処理を、前記コンテンツと前記コンテンツ利用データについての再暗号化をすることなく行うことを特徴とする暗号化コンテンツ編集方法。
【請求項２】
情報機器が、第１の記憶装置にコンテンツを暗号化して格納し、前記第１の記憶装置またはアクセス制御がされた第２の記憶装置に前記コンテンツの挿げ替えや改竄を防止するための対象データをコンテンツ利用データとして格納し、前記第２の記憶装置に前記コンテンツ利用データから算出したメッセージ認証値を格納して管理し、前記コンテンツを利用する際に、前記コンテンツ利用データから算出したメッセージ認証値と、前記第２の記憶装置に格納された前記メッセージ認証値とが一致しない場合は、前記コンテンツの利用を許可しないことにより前記コンテンツの保護を行う暗号化コンテンツ編集方法であって、
前記情報機器は、前記コンテンツを暗号化する際に復号時にランダムアクセス可能な暗号化を施し、前記コンテンツの分割・結合・削除・並べ替えによる編集処理を、前記コンテンツと前記コンテンツ利用データについての再暗号化をすることなく行うことを特徴とする暗号化コンテンツ編集方法。
【請求項３】
請求項１または２記載の暗号化コンテンツ編集方法において、
前記情報機器は、前記コンテンツの分割・結合・削除・並べ替えによる編集処理を、前記コンテンツについての一つまたは複数のプレイリストを作成することで代行し、作成された前記プレイリストに従って、前記コンテンツ利用データの分割・結合・削除・並べ替えを行なうことにより、新たな一つまたは複数の前記コンテンツ利用データとすることを特徴とする暗号化コンテンツ編集方法。
【請求項４】
請求項１または２記載の暗号化コンテンツ編集方法において、
前記情報機器は、前記コンテンツの分割・結合・削除・並べ替えによる編集処理を、前記コンテンツについての一つまたは複数のプレイリストを作成することで代行し、作成された前記プレイリストに前記コンテンツ利用データを結合することにより、新たな一つまたは複数の前記コンテンツ利用データとすることを特徴とする暗号化コンテンツ編集方法。
【請求項５】
請求項４記載の暗号化コンテンツ編集方法において、
新たな前記コンテンツ利用データには、前記プレイリストが１つのみ含まれることを特徴とする暗号化コンテンツ編集方法。
【請求項６】
請求項４記載の暗号化コンテンツ編集方法において、
新たな前記コンテンツ利用データには、前記プレイリストが１つに限定されず存在することを特徴とする暗号化コンテンツ編集方法。
【請求項７】
請求項３〜６のいずれか１項記載の暗号化コンテンツ編集方法において、
前記情報機器は、暗号化された前記コンテンツ自体に対する分割・結合・削除・並べ替えによる編集処理を行わないことを特徴とする暗号化コンテンツ編集方法。
【請求項８】
請求項１〜７のいずれか１項記載の暗号化コンテンツ編集方法において、
前記コンテンツ利用データが、暗号化された前記コンテンツ自体であることを特徴とする暗号化コンテンツ編集方法。
【請求項９】
請求項１〜７のいずれか１項記載の暗号化コンテンツ編集方法において、
前記コンテンツ利用データが、暗号化された前記コンテンツの暗号鍵または暗号鍵導出データであることを特徴とする暗号化コンテンツ編集方法。
【請求項１０】
請求項１〜７のいずれか１項記載の暗号化コンテンツ編集方法において、
前記コンテンツ利用データが、暗号化された前記コンテンツのデータを間引いて抽出したデータであり、前記情報機器は、前記コンテンツを利用または編集する際に、前記コンテンツ利用データが前記コンテンツ内に存在しているかどうかを随時確認することを特徴とする暗号化コンテンツ編集方法。
【請求項１１】
第１の記憶装置と、
アクセスが制御された第２の記憶装置と、
前記第１の記憶装置にコンテンツを暗号化して格納し、前記第２の記憶装置に前記コンテンツの挿げ替えや改竄を防止するための対象データをコンテンツ利用データとして格納して管理することにより前記コンテンツの保護を行うコンテンツ関連データ処理部とを有するコンテンツ管理装置であって、
前記コンテンツ関連データ処理部は、前記コンテンツを暗号化する際に復号時にランダムアクセス可能な暗号化を施し、前記コンテンツの分割・結合・削除・並べ替えによる編集処理を、前記コンテンツと前記コンテンツ利用データについての再暗号化をすることなく行うことを特徴とするコンテンツ管理装置。
【請求項１２】
第１の記憶装置と、
アクセスが制御された第２の記憶装置と、
前記第１の記憶装置にコンテンツを暗号化して格納し、前記第１の記憶装置または前記第２の記憶装置に前記コンテンツの挿げ替えや改竄を防止するための対象データをコンテンツ利用データとして格納し、前記第２の記憶装置に前記コンテンツ利用データから算出したメッセージ認証値を格納して管理し、前記コンテンツを利用する際に、前記コンテンツ利用データから算出したメッセージ認証値と、前記第２の記憶装置に格納された前記メッセージ認証値とが一致しない場合は、前記コンテンツの利用を許可しないことにより前記コンテンツの保護を行うコンテンツ関連データ処理部とを有するコンテンツ管理装置であって、
前記コンテンツ関連データ処理部は、前記コンテンツを暗号化する際に復号時にランダムアクセス可能な暗号化を施し、前記コンテンツの分割・結合・削除・並べ替えによる編集処理を、前記コンテンツと前記コンテンツ利用データについての再暗号化をすることなく行うことを特徴とするコンテンツ管理装置。
【請求項１３】
請求項１１または１２記載のコンテンツ管理装置において、
前記コンテンツ関連データ処理部は、前記コンテンツの分割・結合・削除・並べ替えによる編集処理を、前記コンテンツについての一つまたは複数のプレイリストを作成することで代行し、作成された前記プレイリストに従って、前記コンテンツ利用データの分割・結合・削除・並べ替えを行なうことにより、新たな一つまたは複数の前記コンテンツ利用データとすることを特徴とするコンテンツ管理装置。
【請求項１４】
請求項１１または１２記載のコンテンツ管理装置において、
前記コンテンツ関連データ処理部は、前記コンテンツの分割・結合・削除・並べ替えによる編集処理を、前記コンテンツについての一つまたは複数のプレイリストを作成することで代行し、作成された前記プレイリストに前記コンテンツ利用データを結合することにより、新たな一つまたは複数の前記コンテンツ利用データとすることを特徴とするコンテンツ管理装置。
【請求項１５】
請求項１４記載のコンテンツ管理装置において、
新たな前記コンテンツ利用データには、前記プレイリストが１つのみ含まれることを特徴とするコンテンツ管理装置。
【請求項１６】
請求項１４記載のコンテンツ管理装置において、
新たな前記コンテンツ利用データには、前記プレイリストが１つに限定されず存在することを特徴とするコンテンツ管理装置。
【請求項１７】
請求項１３〜１６のいずれか１項記載のコンテンツ管理装置において、
前記コンテンツ関連データ処理部は、暗号化された前記コンテンツ自体に対する分割・結合・削除・並べ替えによる編集処理を行わないことを特徴とするコンテンツ管理装置。
【請求項１８】
請求項１１〜１７のいずれか１項記載のコンテンツ管理装置において、
前記コンテンツ利用データが、暗号化された前記コンテンツ自体であることを特徴とするコンテンツ管理装置。
【請求項１９】
請求項１１〜１７のいずれか１項記載のコンテンツ管理装置において、
前記コンテンツ利用データが、暗号化された前記コンテンツの暗号鍵または暗号鍵導出データであることを特徴とするコンテンツ管理装置。
【請求項２０】
請求項１１〜１７のいずれか１項記載のコンテンツ管理装置において、
前記コンテンツ利用データが、暗号化された前記コンテンツのデータを間引いて抽出したデータであり、前記コンテンツ関連データ処理部は、前記コンテンツを利用または編集する際に、前記コンテンツ利用データが前記コンテンツ内に存在しているかどうかを随時確認することを特徴とするコンテンツ管理装置。